(57)【要約】【課題】  モータの絶縁抵抗を簡単で安価に検出できるモータ駆動装置を得る。【解決手段】  モータ駆動装置本体３の交流電源を直流電源に変換する電源部６のＤＣリンクのマイナス側ライン５に抵抗Ｒ１とコンデンサＣ２の直列回路を介して接地する。この抵抗Ｒ１とコンデンサＣ２のインピーダンスが、３相交流電源１へのインピーダンスより十分に低いと、スイッチング等によって生じる高周波漏洩電流は、３相交流電源１には戻らず、コンデンサＣ２と抵抗Ｒ１を介してＤＣリンクに返る。抵抗Ｒ１の両端に生じる電圧を検出回路１０で検出し直流に変換する。変換した直流電圧の大きさによって高周波漏洩電流の大きさを知ることができ、これによりモータの絶縁劣化を知ることができる。検出電流値が小さいことから、簡単で安価な構成でモータの絶縁抵抗劣化を検出できる。しかもモータの駆動を止めることなく、モータ駆動中に検出できる。【選択図】          図１
2005201669.tif 000002
【特許請求の範囲】
【請求項１】
交流電源から供給される電力を整流回路で整流しコンデンサで平滑化する電源部と、該電源部出力電圧を、モータを駆動する周波数の交流電力に変換しモータを駆動するモータ駆動アンプとを備え、前記電源部出力ラインのプラス極及びマイナス極の両方又はいずれか一方の極と対地間に、コンデンサと抵抗の直列回路を挿入し、該直列回路の抵抗両端の電位差を検出する回路を備えたことを特徴とするモータ駆動装置。
【請求項２】
前記コンデンサと抵抗の直列回路に代えて、コンデンサを電源部出力ラインのプラス極及びマイナス極の両方又はいずれか一方の極と対地間に接続し、該コンデンサに流れる電流を測定する電流センサを備えた請求項１に記載のモータ駆動装置。
【請求項３】
前記電位差を検出する回路で検出した電圧若しくは前記電流センサで測定して得られた電圧を直流に変換後、コンパレータで基準値と比較し、基準値を超えた場合、表示器に異常を表示する請求項１又は請求項２に記載のモータ駆動装置。
【請求項４】
前記電位差を検出する回路で検出した電圧若しくは前記電流センサで測定して得られた電圧を直流に変換後、デジタル信号に変換するＡ／Ｄ変換手段と、デジタル値に変換された電圧値を表示器に表示する請求項１又は請求項２に記載のモータ駆動装置。
【請求項５】
前記電位差を検出する回路で検出した電圧若しくは前記電流センサで測定して得られた電圧を直流に変換後、デジタル信号に変換するＡ／Ｄ変換手段と、デジタル値に変換された電圧値が所定値を超えた場合、表示器に異常を表示する請求項１、請求項２又は請求項４に記載のモータ駆動装置。
【請求項６】
検出された電圧値を記憶するメモリを有し、該メモリに記憶された複数の検出電圧値を前記表示器に表示する請求項４又は請求項５に記載のモータ駆動装置。
【請求項７】
モータの仕様又はモータ駆動アンプの仕様に対する基準電圧値を記憶するメモリと、該メモリの内容をアクセスするプロセッサとを接続し、該プロセッサがモータ仕様又はモータ駆動アンプの仕様に対応する前記基準電圧値と前記検出電圧値とを比較し、検出電圧値が基準電圧値を超えた場合に異常を通知することを特徴とする請求項４，請求項５又は請求項６に記載のモータ駆動装置。
【請求項８】
検出された電圧値を記憶するメモリと、装置稼働当初に検出した電圧値を第１の基準値とし、絶縁異常と判定する前記第１の基準値との電圧値の差を第２の基準値として格納したメモリを有し、検出された電圧値と前記第１の基準値との差が第２の基準値を超えたとき異常を出力する手段とを備えることを特徴とする請求項１乃至６の内いずれか１項に記載のモータ駆動装置。
【発明の詳細な説明】
【技術分野】
【０００１】
本発明は、電圧型インバータ、ＰＷＭインバータなどのモータ駆動アンプによってモータを駆動するモータ駆動システムにおいて、モータの絶縁劣化を検出できるモータ駆動装置に関する。
【背景技術】
【０００２】
モータを長年使用し続けると、その使用環境等に応じてモータの絶縁が劣化する。この絶縁の劣化による漏洩電流により、漏洩遮断機が作動し、該モータを使用している装置が突然作動を停止する。このような場合、モータに問題があるものか、駆動装置に問題があるものか不明であり、突然停止の原因調査に時間がかかり、このモータを使用している装置や製造ラインの停止が長期化する傾向にある。
【０００３】
モータの絶縁劣化を検出する方法として、上述したように漏洩電流検出によって検出する方法が一般的であった。しかし、漏電検出器で検出する漏洩電流は、ある程度の大きさのに達した状態でしか検出できず、モータの絶縁劣化が進んだ段階でしか検出できないという問題があった。また、漏電による突然の停止であることから、停止の原因がモータ自体によるものかモータ駆動装置等やその他の周辺機器が影響しているものか、装置や製造ライン等のシステム全体の作業を停止して調査せねばならない。さらに、この漏電検出器では、モータ絶縁劣化の予測、予防保全には役立てることができないという問題がある。
【０００４】
そこで、空気調和装置においては、圧縮機におけるモータ絶縁劣化を早期に発見し運転不能になることを未然に防止するようにした方法が提案されている（特許文献１参照）。この方法は、モータの運転停止中において、直流電圧を任意の電圧と周波数に変換してモータを駆動する電力変換器の１つのトランジスタに高周波パルスを印加して駆動し、３相交流電源を整流しフィルタした直流電源の電圧（若しくは予め設定された電圧値）と、モータ電流を検出し、この直流電源の電圧とモータ電流に基づいて、絶縁抵抗値を算出し、求めた絶縁抵抗値が設定絶縁抵抗値を下回ると警報を出す方法である。
【０００５】
又、電圧型インバータ装置で駆動されるモータにおいて、インバータ装置を高周波でスイッチングさせることによりインバータとモータ間の配線やモータ内の導電部と接地間の浮遊キャパシタを通して接地に流れる漏洩電流による漏電遮断機が誤動作することを防止するために、整流器とインバータを結ぶプラス側、及びマイナス側の線に直流リアクトルを挿入すると共に、各プラス側、マイナス側の線を、コンデンサと抵抗の直列回路を介して接地し、インバータが動作することによって発生する零相電流が、浮遊キャパシタ、接地コンデンサ、抵抗、前記プラス側、マイナス側の線の閉回路を流れるようにして漏電遮断機の誤動作を防止するようにした発明が公知である（特許文献２参照）。
【０００６】
【特許文献１】特開２００１−１４１７９５号公報
【特許文献２】特開平１０−２１０６４９号公報
【発明の開示】
【発明が解決しようとする課題】
【０００７】
モータの絶縁劣化を漏電検出器で検出するには、絶縁劣化が進んだ段階でしか検出できない。また、漏電により動作が突然の停止すると、停止の原因がモータ自体によるものかモータ駆動装置等やその他の周辺機器が影響しているものか、装置や製造ライン等のシステム全体の作業を停止して調査せねばならない。また、この漏電検出器では、モータ絶縁劣化の予測、予防保全には役立てることができない。
【０００８】
一方、特許文献１に記載された方法では、モータ絶縁劣化の予測、予防保全には役立てることができるが、電圧と電流を検出しなくてはならない。しかも、電流は、電力変換器の１つのトランジスタをオンさせて、モータに直接流れる電流ラインで検出しなくてはならないものである。検出する電流が小さな値でも、この検出器は大電流を考慮したものとしなくてはならず、コストが増大する要因となる。また、モータを停止させた状態でしかモータの絶縁劣化を測定できない。
そこで、本発明の目的は、安価でモータの絶縁劣化を予知できるモータ駆動装置を提供することにある。
【課題を解決するための手段】
【０００９】
本願請求項１に係わる発明、交流電源から供給される電力を整流回路で整流しコンデンサで平滑化する電源部と、該電源部出力電圧をモータを駆動する周波数の交流電力に変換しモータを駆動するモータ駆動アンプとを備え、さらに、前記電源部出力ラインのプラス極及びマイナス極の両方又はいずれか一方の極と対地間に、コンデンサと抵抗の直列回路を挿入し、該直列回路の抵抗両端の電位差を検出する回路を備えたことを特徴とするモータ駆動装置であって、該抵抗両端の検出電圧によって漏洩電流の大きさを検出してモータの絶縁抵抗を検出できるようにしたものである。  
又、請求項２に係わる発明は、前記コンデンサと抵抗の直列回路に代えて、コンデンサを電源部出力ラインのプラス極及びマイナス極の両方又はいずれか一方の極と対地間に接続し、該コンデンサに流れる電流を測定する電流センサ設けたものである。
【００１０】
請求項３に係わる発明は、前記電位差を検出する回路で検出した電圧若しくは前記電流センサで測定して得られた電圧を直流に変換し、その後この直流電圧をコンパレータで基準値と比較し、基準値を超えた場合、表示器に異常を表示するようにしたものである。さらに請求項４に係わる発明は、検出し直流に変換された電圧をＡ／Ｄ変換手段でデジタル値に変換し、該電圧値を表示器に表示するようにした。又、請求項５に係わる発明は、このデジタル値に変換された電圧値が所定値を超えた場合、表示器に異常を表示するようにする。さらに、請求項６に係わる発明は、検出された電圧値を記憶するメモリを有し、該メモリに記憶された複数の検出電圧値を表示器に表示するようにした。
【００１１】
また、請求項７に係わる発明は、モータの仕様又はモータ駆動アンプの仕様に対する基準電圧値を記憶するメモリと、該メモリの内容をアクセスするプロセッサとを接続し、該プロセッサがモータ仕様又はモータ駆動アンプの仕様に対応する前記基準電圧値と前記検出電圧値とを比較し、検出電圧値が基準電圧値を超えた場合に異常を通知するようにした。また、請求項８に係わる発明は、検出された電圧値を記憶するメモリと、装置稼働当初に検出した電圧値を第１の基準値とし、絶縁異常と判定する前記第１の基準値との電圧値の差を第２の基準値として格納したメモリ有し、検出された電圧値と前記第１の基準値との差が第２の基準値を超えたとき異常を出力する手段を備えるものである。
【発明の効果】
【００１２】
本発明での検出電流はモータの定格に比べ非常に小さいものであることから、電流検出のための回路、機器等は高価なものを使用しなくてもよい。また、抵抗両端の電位差を検出する場合におても、半田付けできる小型な部品で構成することができ、安価で簡単な構成でモータの絶縁抵抗を検出できる。さらに、モータを停止させることなく、モータ駆動中いつでもこのモータの絶縁抵抗を検出できる。
【発明を実施するための最良の形態】
【００１３】
図１は、本発明の一実施形態の要部ブロック回路図である。  
符号１は、接地された３相交流電源である。２は制御装置１１で制御される電磁接触器の接点である。３はモータ駆動装置本体で、３相交流電源を整流回路により直流電源に変換する電源部６と、直流電源から任意の交流電源に変換してモータＭを駆動するモータ駆動アンプ８で構成されている。
【００１４】
電源部６は、３相交流電源１を整流し直流電源に変換するダイオードＤ１〜Ｄ６で構成される整流回路と、各ダイオードＤ１〜Ｄ６と並列に回生電流を交流電源に帰還させるためのＩＧＢＴ等で構成されたスイッチング素子Ｑ１〜Ｑ６を備えている。また、ダイオードＤ１〜Ｄ６の整流回路で整流された直流出力を平滑する平滑コンデンサＣ１を備え、さらに、平滑コンデンサＣの両端電圧はプラス側ライン４，マイナス側ライン５の電源部整流回路の出力ライン（ＤＣリンク）に出力される。コントローラ７が回生開始電圧を検出し、スイッチング素子Ｑ１〜Ｑ６をオン／オフ制御して回生電流を交流電源に帰還させる。
【００１５】
また、モータ駆動アンプ８は、ＩＧＢＴ等で構成されたスイッチング素子Ｑ１１〜Ｑ１６と該スイッチング素子Ｑ１１〜Ｑ１６とそれぞれ並列に接続されたダイオードＤ１１〜Ｄ１６で構成されたインバータ回路とコントローラ９で構成されている。  
電源部６及びモータ駆動アンプ８のコントローラ７，９は数値制御装置等のこのモータ駆動装置を制御する制御装置１１に接続され、該制御装置１１からの指令に基づいて、コントローラ９によって、スイッチング素子Ｑ１１〜Ｑ１６をオン／オフ制御してモータＭを駆動制御するものである。
【００１６】
上述したモータ駆動装置本体３の構成は、従来のモータ駆動装置と何ら変わるところはない。本発明は、この従来のモータ駆動装置に、モータの絶縁抵抗を測定するモータ絶縁抵抗検出手段が付加されている点において相違するものである。  
この実施形態では、モータ絶縁抵抗検出手段として、電源部整流回路の出力ライン（ＤＣリンク）のマイナス側ライン５が、抵抗Ｒ１とコンデンサＣ２の直列回路を介して接地Ｇ２され、さらに、この抵抗Ｒ１間の電圧を検出する検出回路１０が設けられている。また、検出回路１０と制御装置１１は接続されている。
【００１７】
制御装置１１により電磁接触器が動作しその接点２がオンになり、かつモータ駆動装置３に電力が供給され、電源部６の整流回路で３相交流電源は整流され直流電源に変換され、ＤＣリンク部のライン４，５を介して、モータ駆動アンプ８のインバータに供給され、該インバータのスイッチング素子Ｑ１１〜Ｑ１６がコントローラ９で制御され、高速スイッチング（数ＫＨｚ〜十数ＫＨｚ）動作し、任意の周波数の交流信号に変換してモータＭを駆動する。このとき、電線のインダクタンスや浮遊容量及びその他の要因によって、スイッチング周波数より高い周波数の振動のノイズや、モータＭへの給電線とモータのインピーダンスのミスマッチングが原因して反射によるサージノイズが発生する。以下これらノイズをまとめて高周波ノイズという。
【００１８】
これらの高周波ノイズは、モータＭの対地間の絶縁抵抗を通して接地Ｇ３に流れ込む。いわゆる高周波漏洩電流が流れる。  
高周波漏洩電流は、ＤＣリンクの直流電源が元であることから、ＤＣリンクのマイナスライン５と接地点Ｇ２間の抵抗Ｒ１とコンデンサＣ２のインピーダンスが、３相交流電源１へのインピーダンスより十分に低いと、この高周波漏洩電流は、３相交流電源１には戻らず、コンデンサＣ２と抵抗Ｒ１を介してＤＣリンクに返ることになる。これにより、３相交流電源１の接地点Ｇ１への高周波漏洩電流は非常に低減されることになる。
【００１９】
一方、モータＭの対地間の絶縁抵抗は寿命があり、モータＭを長年の使用し続けていくと、この絶縁抵抗は低下してくる。また、使用環境によりモータの巻線が犯されて急激に絶縁抵抗が低下することもある。絶縁抵抗の低下により大地に流れる高周波ノイズの量も増加し、抵抗Ｒ１、コンデンサＣ２に流れる高周波電流も増加する。よって、この抵抗Ｒ１、コンデンサＣ２の回路に流れる電流を検出回路１０で測定することによってモータの絶縁劣化を検出できる。
【００２０】
図２は、この実施形態における検出回路１０の回路図である。  
図２に示す検出回路１０において、２１は整流回路でダイオードＤ２１〜Ｄ２４及びコンデンサＣ３、抵抗Ｒ２で構成されている。また、Ｒ３〜Ｒ５は抵抗、Ｃ２はコンデンサ、２２はツェナーダイオード、２３はコンパレータ、２４はトランジスタ、２５はフォトカプラである。  
ＤＣリンクのマイナス側ライン５と接地Ｇ２間に接続された抵抗Ｒ１とコンデンサＣ２の直列回路における抵抗Ｒ１の両端に生じる交流電圧は、整流回路２１に入力されて、ダイオードＤ２１〜Ｄ２４で整流され、コンデンサＣ３で平滑されて滑らかな直流に変換され、抵抗Ｒ２の両端に直流電圧が発生する。この直流電圧はコンパレータ２３の一方の端子に入力される。コンパレータ２３の他方の端子には、ツェナーダイオード２２で決まる基準電圧が入力されており、検出された直流電圧が基準電圧より大きくなるとコンパレータ２３から出力される信号によりトランジスタ２４をオンにする。このトランジスタ２４にはフォトカプラ２５の発光素子が直列に接続されており、トランジスタ２４がオンとなることにより、フォトカプラ２５の発光素子に電流が流れ、フォトカプラ２５の受光素子から出力信号が制御装置１１に異常検出信号として出力される。
【００２１】
よって、ツェナーダイオード２２により基準電圧を設定しておけば、モータの絶縁抵抗が低下し、抵抗Ｒ１とコンデンサＣ２に流れる高周波の漏洩電流が増加し、該高周波電流を検出回路１０の整流回路２１で整流して得られた直流電圧が基準電圧以上になると、フォトカプラ２５から出力信号が出され、モータの絶縁抵抗が所定値達したことを検出することができる。  
この絶縁抵抗の低下の検出はモータが駆動されているときに検出できるものであり、わざわざ絶縁抵抗検出のためにモータの駆動停止する必要がなく、モータを駆動しているときに絶縁抵抗が所定値以下になると制御装置１１に知らされ、これに基づいて制御装置１１に設けられた表示器１２等によりモータの絶縁低下を知らせるようにすればよいものである。
【００２２】
図３は、本発明の別の実施形態における検出回路のブロック図である。検出回路１０の代わりにこの図３に示す検出回路１０’を用いることによって、モータの絶縁劣化を検出する。特に、絶縁劣化の傾向や、モータ駆動装置におけるモータ駆動アンプの仕様（種類）又はモータの仕様（種類）に対応して、それぞれ絶縁劣化を検出できるようにしたものである。  
この検出回路１０’は、ＤＣリンクのマイナス側ライン５と接地Ｇ２間に接続された抵抗Ｒ１とコンデンサＣ２の直列回路における抵抗Ｒ１の両端に生じる交流電圧を図２と同一の整流回路２１に入力し（整流回路に付いては同一符号２１を付している）、該整流回路２１で整流された直流電圧がＡ／Ｄコンバータ（アナログ信号からデジタル信号に変換するコンバータ）３１に入力されるように構成されている。また、この検出回路１０’は、マイクロプロセッサ３２とメモリ３３を備えており、Ａ／Ｄコンバータ３１でデジタル信号に変換された電圧信号がマイクロプロセッサ３２に入力されている。
【００２３】
メモリ３３には、モータ駆動装置に使用されたモータ駆動アンプ８の仕様（種類）又はモータの仕様（種類）に応じてモータの絶縁劣化を表示させる基準値が予め格納されている。また、モータ駆動アンプ８のコントローラ９には、モータ駆動アンプ８の仕様（種類）又はモータの仕様（種類）を記憶したメモリが設けられている。
【００２４】
制御装置１１は、モータ駆動アンプ８のコントローラ９からモータ駆動アンプの仕様（種類）を読み取り、検出回路１０’のマイクロプロセッサ３２に送信する。マイクロプロセッサ３２は、送られてきたモータ駆動アンプの仕様（種類）又はモータの仕様（種類）に対応する基準値をメモリ３３から読み取り、絶縁低下を検出する基準値とする。
【００２５】
そこで、抵抗Ｒ１間の高周波電圧が整流回路２１で整流されて検出された直流電圧はＡ／Ｄコンバータ３１でデジタル信号に変換され、マイクロプロセッサ３２は、このデジタル信号に変換された検出電圧値と基準値を比較し、検出電圧が基準値を超えていると、絶縁抵抗低下の信号を制御装置１１は送信し、制御装置１１はこの信号を受けて表示器１２に絶縁抵抗低下の表示を行う。
【００２６】
また、制御装置１１からの指令に基づいて、マイクロプロセッサ３２は、Ａ／Ｄコンバータ３１から出力される検出電圧値をメモリ３３に記憶するとともに、制御装置１１に送信し、制御装置１１の表示器１２にその検出電圧値を表示して、絶縁抵抗の低下の状態を表示するようにしてもよい。また、制御装置１１から、定期的に検出電圧値を記憶し表示する指令を出し（例えば、作業員が月１回等の決められた間隔でこの指令を制御装置１１に入力して記憶、表示指令をマイクロプロセッサ３２に出力するようにする）、マイクロプロセッサ３２にＡ／Ｄコンバータ３１から出力される検出電圧値をメモリ３３に記憶させると共に、該メモリ３３に記憶する採取した検出電位差のデータを全て、若しくは今回と１つ前又は複数回前の検査時の複数のデータを表示器１２に送信し、これらのデータを表示させるようにする。対地絶縁抵抗の履歴が表示されることになるから、絶縁劣化の進行状況を知ることができる。
【００２７】
さらに、この検出回路１０’を用いて、まず、モータ駆動装置３及びモータＭの稼働当初（絶縁不良が生じていない状態）における、Ａ／Ｄコンバータ３１から出力される検出電圧値を第１の基準値としてメモリ３３に記憶させておくと共に、モータの絶縁不良と判定される既知の値との差を第２基準値としてメモリ３３に格納しておき、マイクロプロセッサ３２は、その後逐次検出される電圧値と第１の基準値との差を求め、この差が第２の基準値を超えたとき、絶縁不良と判断し、制御装置１１に絶縁異常の警告信号を送信して表示器１２で表示するようにする。これによって、当初の状態からの絶縁劣化を確実に知ることができる。
【００２８】
なお、上述した各実施形態では、ＤＣリンクのマイナス側のライン５に抵抗Ｒ１とコンデンサＣ２の直列回路を接続し接地Ｇ２としたが、抵抗Ｒ１とコンデンサＣ２の直列回路をプラス側のライン４に接続し、該直列回路を介して接地してもよい。さらには、両ライン４，５に共にこの抵抗とコンデンサの直列回路を接続し該直列回路を介して接地してもよい。
【００２９】
さらには、この抵抗とコンデンサの直列回路に代えて、コンデンサをライン４又は／及びライン５と対地Ｇ２間に配置し、該コンデンサに流れる電流を検出するホール素子等の電流センサを設けて、このコンデンサに流れる高周波ノイズを電流センサで検出し、この検出電圧を整流して直流電圧に変換し、上述した各実施形態と同様に、モータの絶縁抵抗の検出、及びその低下を検出するようにしてもよい。
【図面の簡単な説明】
【００３０】
【図１】本発明の一実施形態の要部ブロック回路図である。
【図２】同実施形態における検出回路の回路図である。
【図３】同実施形態における別の検出回路の回路図である。
【符号の説明】
【００３１】
１  ３相交流電源
２  電磁接触器の接点
３  モータ駆動装置本体
４  ＤＣリンクのプラス側ライン
５  ＤＣリンクのマイナス側ライン
６  モータ駆動装置の電源部
７  コントローラ
８  モータ駆動アンプ
９  コントローラ
１０  検出回路
１１  制御装置
１２  表示器
２１  整流回路
【図１】
2005201669.tif 000003
【図２】
2005201669.tif 000004
【図３】
2005201669.tif 000005